【手続補正書】
【提出日】平成16年2月19日(2004.2.19)
【手続補正１】
【補正対象書類名】明細書
【補正対象項目名】請求項１
【補正方法】変更
【補正の内容】
【請求項１】
シート状の転写材の一方の面に現像剤を熱にて定着する定着部材と、熱による定着動作が為されている間、上記転写材の他方の面に加圧するよう上記定着部材に圧接する加圧部材と、該定着部材及び該加圧部材のうち少なくとも定着部材を内側から加熱する内部加熱手段とを有し、上記定着部材及び上記加圧部材のうち少なくとも該定着部材の表面が弾性層により被覆されている定着装置において、
上記定着部材及び上記加圧部材のうち少なくとも定着部材の表面を加熱する表面加熱手段と、又は、ニップ部の上流側に位置した予備加熱位置にて、定着動作が為される前に、上記転写材及び上記現像剤を予備的に加熱する予備加熱手段との二つの手段のうち少なくとも一方の手段を備えていることを特徴とする定着装置。
【手続補正２】
【補正対象書類名】明細書
【補正対象項目名】請求項５
【補正方法】変更
【補正の内容】
【請求項５】
内部加熱手段と、表面加熱手段及び予備加熱手段の少なくとも一方の加熱動作が、時間分割により為されることとする請求項１ないし請求項４のうちの１項に記載の定着装置。
【手続補正３】
【補正対象書類名】明細書
【補正対象項目名】請求項６
【補正方法】変更
【補正の内容】
【請求項６】
表面加熱手段又は予備加熱手段のうち少なくとも一方の手段により為される加熱動作の設定は、定着部材及び加圧部材の少なくとも一方の表面温度の変動を検知する表面温度検知手段に基づいて為されることとする請求項１ないし請求項５のうちの１項に記載の定着装置。
【手続補正４】
【補正対象書類名】明細書
【補正対象項目名】００３０
【補正方法】変更
【補正の内容】
【００３０】
【課題を解決するための手段】
本発明に係る第一の発明によれば、上記目的は、シート状の転写材の一方の面に現像剤を熱にて定着する定着部材と、熱による定着動作が為されている間、上記転写材の他方の面に加圧するよう上記定着部材に圧接する加圧部材と、該定着部材及び該加圧部材のうち少なくとも定着部材を内側から加熱する内部加熱手段とを有し、上記定着部材及び上記加圧部材のうち少なくとも該定着部材の表面が弾性層により被覆されている定着装置において、
上記定着部材及び上記加圧部材のうち少なくとも定着部材の表面を加熱する表面加熱手段と、又は、ニップ部の上流側に位置した予備加熱位置にて、定着動作が為される前に、上記転写材及び上記現像剤を予備的に加熱する予備加熱手段との二つの手段のうち少なくとも一方の手段を備えていることにより達成される。


【手続補正５】
【補正対象書類名】明細書
【補正対象項目名】００３４
【補正方法】変更
【補正の内容】
【００３４】
更に、本発明に係る第五の発明によれば、上記目的は、第一の発明ないし第四の発明のうちの一つにおいて、内部加熱手段と、表面加熱手段及び予備加熱手段の少なくとも一方の加熱動作が、時間分割により為されることにより達成される。


【手続補正６】
【補正対象書類名】明細書
【補正対象項目名】００３５
【補正方法】変更
【補正の内容】
【００３５】
又、本発明に係る第六の発明によれば、上記目的は、第一の発明ないし第五の発明のうちの一つにおいて、表面加熱手段又は予備加熱手段のうち少なくとも一方の手段により為される加熱動作の設定は、定着部材及び加圧部材の少なくとも一方の表面温度の変動を検知する表面温度検知手段に基づいて為されることにより達成される。


【手続補正７】
【補正対象書類名】明細書
【補正対象項目名】００３６
【補正方法】変更
【補正の内容】
【００３６】
すなわち、本出願に係る第一の発明においては、表面加熱手段による定着部材及び加圧部材のうち少なくとも定着部材の表面への加熱動作、又は、定着動作の為される前の予備加熱手段による転写材への加熱動作のうち少なくとも一方の加熱動作が為されるので、熱伝導にて上記定着部材及び上記加圧部材の各々の表面から上記転写材に奪われた熱量が、上記外部加熱手段の加熱動作により補われる、又は、上記予備加熱手段の加熱動作により抑制されて、上記定着部材及び上記加圧部材の各々の表面温度が、定着動作の開始時に内部加熱手段により設定された表面温度の近傍に維持される。


【手続補正８】
【補正対象書類名】明細書
【補正対象項目名】００３７
【補正方法】変更
【補正の内容】
【００３７】
又、本出願に係る第二の発明においては、表面加熱手段が定着部材及び加圧部材のうち
少なくとも定着部材の表面を加熱するので、定着時に、熱伝導にて上記定着部材及び上記加圧部材の各々の表面から上記転写材に奪われた熱量が、上記表面加熱手段の加熱動作により補われて、上記定着部材及び上記加圧部材の各々の表面温度が、定着動作の開始時に内部加熱手段により設定された表面温度の近傍に維持される。


【手続補正９】
【補正対象書類名】明細書
【補正対象項目名】００３９
【補正方法】変更
【補正の内容】
【００３９】
又、本出願に係る第四の発明においては、表面加熱手段による定着部材及び加圧部材のうち少なくとも定着部材の表面への加熱動作と、定着動作の為される前の予備加熱手段による転写材への加熱動作とが為されるので、定着時に、熱伝導にて上記定着部材及び上記加圧部材の各々の表面から上記転写材に奪われる熱量が上記予備加熱手段の加熱動作により抑制され、更に、熱伝導にて上記定着部材及び上記加圧部材の各々の表面から上記転写材に奪われた熱量が上記外部加熱手段の加熱動作により補われて、上記定着部材及び上記加圧部材の各々の表面温度が、定着動作の開始時に内部加熱手段により設定された表面温度に維持される。


【手続補正１０】
【補正対象書類名】明細書
【補正対象項目名】００４０
【補正方法】変更
【補正の内容】
【００４０】
更に、本出願に係る第五の発明においては、上記第一の発明ないし上記第四の発明の内部加熱手段と、表面加熱手段及び予備加熱手段の少なくとも一方の加熱動作が、時間分割により為されるので、諸加熱動作に消費される電力量が最小限度にまで押さえられる。


【手続補正１１】
【補正対象書類名】明細書
【補正対象項目名】００４１
【補正方法】変更
【補正の内容】
【００４１】
又、本出願に係る第六の発明においては、表面加熱手段又は予備加熱手段のうち少なくとも一方の手段により為される加熱動作の設定は、定着部材及び加圧部材の少なくとも一方の表面温度の変動を検知する表面温度検知手段に基づいて為されるので、上記定着部材及び上記加圧部材の各々の表面温度が、定着動作の開始時にて内部加熱手段により設定された表面温度に維持される。


【手続補正１２】
【補正対象書類名】明細書
【補正対象項目名】０１５７
【補正方法】変更
【補正の内容】
【０１５７】
【発明の効果】
以上説明したように、本出願に係る第一の発明によれば、表面加熱手段による定着部材及び加圧部材のうち少なくとも定着部材の表面への加熱動作、又は、定着動作の為される前の予備加熱手段による転写材への加熱動作の二つの加熱動作のうち少なくとも一方が為されるので、熱伝導にて上記定着部材及び上記加圧部材の各々の表面から上記転写材に奪われた熱量が、上記外部加熱手段の加熱動作により補われる、又は、上記予備加熱手段の加熱動作により抑制されて、上記定着部材及び上記加圧部材の各々の表面温度が、定着動作の開始時に内部加熱手段により設定された表面温度の近傍に維持されて、コールドオフセットの発生を抑えることができることにより、高品質な複写画像を安定してユーザーに提供することができる。


【手続補正１３】
【補正対象書類名】明細書
【補正対象項目名】０１５８
【補正方法】変更
【補正の内容】
【０１５８】
又、本出願に係る第二の発明によれば、表面加熱手段が定着部材及び加圧部材のうち少なくとも定着部材の表面を加熱するので、定着時に、熱伝導にて上記定着部材及び上記加圧部材の各々の表面から上記転写材に奪われた熱量が、上記表面加熱手段の加熱動作により補われて、上記定着部材及び上記加圧部材の各々の表面温度が、定着動作の開始時に内部加熱手段により設定された表面温度の近傍に維持されて、コールドオフセットの発生を抑えることができることにより、高品質な複写画像を安定してユーザーに提供することができる。


【手続補正１４】
【補正対象書類名】明細書
【補正対象項目名】０１６０
【補正方法】変更
【補正の内容】
【０１６０】
又、本出願に係る第四の発明によれば、表面加熱手段による定着部材及び加圧部材のうち少なくとも定着部材の表面への加熱動作と、定着動作の為される前の予備加熱手段による転写材への加熱動作とが為されるので、定着時に、熱伝導にて上記定着部材及び上記加圧部材の各々の表面から上記転写材に奪われる熱量が上記予備加熱手段の加熱動作により抑制され、更に、熱伝導にて上記定着部材及び上記加圧部材の各々の表面から上記転写材に奪われた熱量が上記外部加熱手段の加熱動作により補われて、上記定着部材及び上記加圧部材の各々の表面温度が、定着動作の開始時に内部加熱手段により設定された表面温度の近傍に維持されて、コールドオフセットの発生を抑えることができることにより、高品質な複写画像を安定してユーザーに提供することができる。


【手続補正１５】
【補正対象書類名】明細書
【補正対象項目名】０１６１
【補正方法】変更
【補正の内容】
【０１６１】
更に、本出願に係る第五の発明によれば、上記第一の発明ないし上記第四の発明のうちの一つの内部加熱手段と、表面加熱手段及び予備加熱手段の少なくとも一方の加熱動作が、時間分割により為されるので、諸加熱動作にて消費される電力量が最小限度にまで抑えられるようにすることができる。


【手続補正１６】
【補正対象書類名】明細書
【補正対象項目名】０１６２
【補正方法】変更
【補正の内容】
【０１６２】
又、本出願に係る第六の発明によれば、表面加熱手段又は予備加熱手段のうち少なくとも一方の手段により為される加熱動作の設定は、定着部材及び加圧部材の少なくとも一方の表面温度の変動を検知する表面温度検知手段に基づいて為されるので、上記定着部材及び上記加圧部材の各々の表面温度が、定着動作の開始時に内部加熱手段により設定された表面温度に維持されて、コールドオフセットの発生を抑えることができることにより、高品質な複写画像を安定してユーザーに提供することができる。